(57)【要約】 【課題】  コーナー部分に於ける棚板の跳ね上がりの防止と、組み立ての容易性と、製造コストを低廉に抑制すること等を目的とし、また複数の什器を並列に配置する場合の棚板を支持する支柱のデザインをシンプルにすることにある。【解決手段】   コーナーの奥支柱２と、一対の側支柱３との三点で棚板５を保持する棚構造の什器１であって、多数の係止透孔４を縦に一列に開設した支柱２、３と、奥支柱２に対向する面に係止穴８を形成すると共に、側支柱３に対向する面に係止切り欠き１２を形成した棚板５と、プレート１５の後面に、前記支柱２、３の係止透孔４に嵌入係止する垂直姿勢の係止片１６を設けると共に、プレート１５の前面に、係止穴８或いは係止切り欠き１２に嵌入係止するダボピン１７を突設したブラケット１４と、から成る構成の什器である。棚構造の什器１を一単位とし、同一高さ位置に隣り合う棚板５を一個のブラケットで保持することもできる。 【選択図】        図６
2010148628.tif 000002
【特許請求の範囲】
【請求項１】
コーナーの奥支柱（２）と、一対の側支柱（３）との三点で棚板（５）を保持する棚構造の什器（１）であって、多数の係止透孔（４）を縦に一列に開設した支柱（２、３）と、前記奥支柱（２）に対向する面に、少なくとも上下両面が閉鎖された係止穴（８）を形成すると共に、前記側支柱（３）に対向する面に、上面が閉鎖された係止切り欠き（１２）を形成した棚板（５）と、プレート（１５）の後面に、前記支柱（２、３）の係止透孔（４）に嵌入係止する垂直姿勢の係止片（１６）を設けると共に、前記プレート（１５）の前面に、前記係止穴（８）或いは係止切り欠き（１２）に嵌入係止するダボピン（１７）を突設したブラケット（１４）と、から成ることを特徴とする什器。
【請求項２】
多数の係止透孔（４）を縦に一列に開設した複数の支柱（２、３）間に棚板（５）を保持させる棚構造の什器（１）を一単位とし、隣り合う前記什器（１）の夫々の棚板（５）を相互に同一高さ位置にして並列配置する構成にあって、プレート（１５）の後面に、前記支柱（２、３）の係止透孔（４）に嵌入係止する垂直姿勢の係止片（１６）を設けると共に、前記プレート（１５）の前面に、一対のダボピン（１７）を水平に並列突設し、各ダボピン（１７）を同一高さ位置に隣り合う棚板（５）に夫々係止させることを特徴とするブラケット。
【発明の詳細な説明】
【技術分野】
【０００１】
本発明は、商品等を陳列するための棚構造の什器と、この棚板を支持するためのブラケットに関する。
【背景技術】
【０００２】
商品等を陳列するための什器として棚構造が広く採用されている。ここでの棚板は通常は方形状であって、多数の透孔を縦列に開設した四本の支柱間に配され、透孔に係止するブラケットから突出するダボピンに下方から四隅を支持させ水平姿勢を維持するものであり、支柱の透孔に対するブラケットの係止高さ位置を適宜に変動することにより、上下の棚板の間隔幅を載置する商品等のサイズに応じて調整することができるようになっている。
【０００３】
処で、特にデザイン性を考慮して、室内の隅部にこの什器を設置することがあり、この場合、四本の支柱をもって方形状の棚板を支持させるとなると正面隅（前方隅）の支柱が邪魔になることがしばしば生じる。これにより陳列する商品が見えにくくなったり、そのため不体裁であったり、更には商品が載置しにくくなったりする問題があるのである。
【０００４】
この不都合を回避するには、正面隅の支柱を省略し、奥隅と両側との三本の支柱とすれば良いのであるが、この構成であると、載置物の重量が正面寄り（前方寄り）に負荷されると、単にダボピンに乗載しているだけの棚板は、奥隅が跳ね上がってしまい載置商品が落下してしまう。棚板を直角三角形状とし、直角部分を奥隅に位置されればこのような不都合は殆どないが、商品の載置面積が半減してしまう。
【０００５】
次に、四本の支柱で支持された正方形或いは長方形形状の棚板で構成された什器の複数を並列配置することもしばしば行われる。この場合、隣り合う什器間では、経済性或いはデザイン性の観点から支柱を兼用させるのが通常である。そのため、支柱に開設される多数の透孔は、隣り合う什器用に縦列に二本を並べて設けなければならないが、この二本の配列がデザイン的に甚だ不体裁であり、また柱を太くしなければならない不経済性ともなった。
【０００６】
このような問題に鑑み、従来より以下の如き発明や考案が提案されている。
【特許文献１】特開２００８−１３６５３６号公報
【特許文献２】実開平６−６４５２９号公報
【発明の開示】
【発明が解決しようとする課題】
【０００７】
上記特許文献１の発明は、棚板の奥隅の跳ね上がりを防止するために、棚板を下方から支えるブラケットとは別に、棚を上から押さえ付ける棚板抑え金具を組み付ける構成であるが、これが組み付けの手数を煩雑にし、部材費を嵩まさせ、構造を複雑にさせるといった多くの欠点をはらんでいることは明らかである。
【０００８】
また、上記特許文献２の考案は、平面Ｌ形のコーナー板にて棚板の奥隅部を支持する形態であるが、コーナー板そのものの構造が複雑で成形コストが嵩み、また、コーナー板を支柱或いは棚板に組み付けるのに、係合手段や螺子止め手段を採らなければならない点で、極めて手間のかかるものになっている。
【０００９】
よって本発明の棚構造の什器では、コーナー部分に於ける棚板の跳ね上がりを確実に防止して安全性を高めると共に、組み立てを容易にし、最小限の部材により製造コストを低廉に抑えることができるようにし、また本発明のブラケットは、複数の什器を並列に配置する場合の棚板を支持する支柱のデザインをシンプルにし、且つ製造コストを低廉に抑えることができるようにすることにある。
【課題を解決するための手段】
【００１０】
上記の問題を解決するために、本発明の什器は、コーナーの奥支柱と、一対の側支柱との三点で棚板を保持する棚構造の什器であって、多数の係止透孔を縦に一列に開設した支柱と、前記した奥支柱に対向する面に、少なくとも上下両面が閉鎖された係止穴を形成すると共に、前記した側支柱に対向する面に、上面が閉鎖された係止切り欠きを形成した棚板と、プレートの後面に、前記した支柱の係止透孔に嵌入係止する垂直姿勢の係止片を設けると共に、前記したプレートの前面に、前記した係止穴或いは係止切り欠きに嵌入係止するダボピンを突設したブラケット、とから成ることを特徴とする構成である。
【００１１】
また、多数の係止透孔を縦に一列に開設した複数の支柱間に棚板を保持させる棚構造の什器を一単位とし、隣り合う前記した什器の夫々の棚板を相互に同一高さ位置にして並列配置する構成にあって、本発明のブラケットは、プレートの後面に、前記した支柱の係止透孔に嵌入係止する垂直姿勢の係止片を設けると共に、前記したプレートの前面に、一対のダボピンを水平に並列突設し、各ダボピンを同一高さ位置に隣り合う棚板に夫々係止させることを特徴とする構成である。
【発明の効果】
【００１２】
従って本発明の什器によれば、各支柱の所定同一高さ位置の係止透孔にブラケットの係止片を夫々嵌入係止し、先ず、棚板をコーナーの奥支柱方向に若干下降傾斜させた姿勢でこの奥支柱に係止させたブラケットのダボピンを棚板の係止穴に嵌入係止し、次いで棚板を水平姿勢にして一対の側支柱に夫々係止させたブラケットのダボピンを棚板の係止切り欠きに乗載するようにして嵌入係止させれば、棚板は、コーナーの奥支柱と一対の側支柱とにブラケットを介して三点で簡単に組み付けられることになる。
【００１３】
この場合、棚板に対する上方からの重力負荷は、当然ながら各ダボピンにより支持されて安定しており、更に、特に棚板の前方部に対する上方からの重力負荷も、奥支柱に係止させたブラケットのダボピンが棚板の上下両面が閉鎖された係止穴に嵌入係止しているため、係止穴の下面がダボピンの下面に当接することになるので、棚板の後方部が跳ね上がってしまうことはない。
【００１４】
即ち本発明の什器では、棚板抑え金具や螺子止め手段を用いることなく、コーナーの奥支柱と一対の側支柱との三点で棚板を安全確実に保持することができ、棚板の正面隅（前方隅）に支柱が存在しないので支柱が邪魔になることはなく、従って陳列する商品が見え易く、体裁が良く、商品の載置が容易である等の極めて優れた効果が期待できる。
【００１５】
また、多数の係止透孔を縦に一列に開設した複数の支柱間に棚板を保持させる棚構造の什器を一単位とし、隣り合う前記した什器の夫々の棚板を相互に同一高さ位置にして並列配置する構成にあって、本発明のブラケットは、一本の支柱の係止透孔に係止片を介して嵌入係止するが、このブラケットのプレートの前面には一対のダボピンが水平に並列突設されているので、この各ダボピンを隣り合う什器にあっての同一高さ位置に隣り合う棚板に夫々係止させることができる。従って隣り合う棚板の保持を一本の支柱及び一個のブラケットで兼用させるだけでなく、支柱に縦に開設する多数の係止透孔は一列で済むといった効果を奏する。
【００１６】
この効果は、什器の複数組を、隣り合う棚板を段違いにして配置する構成にあって、各ダボピンの一本を段違いで隣り合う棚板に係止させることができる点でも、同様である。
【００１７】
それ故、支柱は、その強度を確保する限り細くすることができるので製造コストを抑えることができ、しかも係止透孔の列は一列であるから、デザイン的にスマートで極めて体裁の良いものになるのである。
【発明を実施するための最良の形態】
【００１８】
図１、２、３、４、５、６、７は、コーナー用の一単位の什器１を示すものであって、什器１は、コーナー用の奥支柱２と、一対の側支柱３とにより棚板３を保持する棚構造であり、各支柱２、３には、多数の係止透孔４が縦に一列に開設されている。各支柱２、３は横断面が正方形の筒柱であり、奥支柱２では、隣り合う二面に係止透孔４が一列に夫々開設され、側支柱３では、一面に係止透孔４が一列に開設される。
【００１９】
棚板５は、平面視で略正方形形状であるが、正面端隅（前方端隅）は安全性を考慮した柔らか味のあるデザインとするために若干の円弧形に形成して丸み部６とし、一方、この丸み部６とは対角に位置する奥端隅（後方端隅）は直角に切り欠いて欠損部７として形成してある。
【００２０】
この欠損部７は奥支柱２が嵌め込まれる箇所であって、奥支柱２に対向する端面には、少なくとも上下両面が閉鎖された略コ字形状の係止穴８が形成される。ここでこの上下両面の閉鎖は、棚板５の上面板部の延長としての庇片９と棚板５の下面板部の延長としての底片１０とにより達成する。即ち係止穴８は、庇片９と底片１０とにより形成されるものである。
【００２１】
一方、棚板５に於けるは丸み部６と欠損部７が形成されていない両対角隅部、即ち側支柱３に対向する直角部１１の端面には、上面が閉鎖された係止切り欠き１２が開口形成される。この上面の閉鎖は、棚板５の上面板部の一部である隅片１３で達成する。
【００２２】
次にブラケット１４は、プレート１５の後面中央に垂直姿勢の係止片１６をその上端部が上方に突出する形態で設けると共に、プレート１５の前面に一対のダボピン１７を左右に並列に突設した構成で、係止片１６は支柱２、３の係止透孔４に嵌入係止し、ダボピン１７は係止穴８或いは係止切り欠き１２に嵌入係止する。
【００２３】
即ち、奥支柱２と一対の側支柱３とを所定間隔をもって配置すると共に、各支柱２、３の所定高さ位置の各係止透孔４にブラケット１４の係止片１６を上端部より挿入して嵌入係止し、次いで棚板５をコーナーの奥支柱２方向に若干下降傾斜させた姿勢で、奥支柱２に係止させたブラケット１４のダボピン１７の一本を棚板５の係止穴８に嵌入係止し、更に棚板５を水平姿勢にして、一対の側支柱３に夫々係止させたブラケット１４のダボピン１７の一本の夫々を棚板５の係止切り欠き１２に夫々乗載するようにして嵌入係止させ、組み付けるのである。
【００２４】
従って、各ダボピン１７は、その上面が棚板５の係止穴８の庇片９下面、或いは係止切り欠き１２の隅片１３下面に当接しているので、棚板５を確実に下方から支持する。そして棚板５の係止穴８は、前述したように庇片９と底片１０とにより形成されているので、棚板５の前方部丸み部６近傍に対して上方から重力の負荷があったとしても、係止穴の下面である底片１０がダボピン１７の下面に当接し、棚板５の後方部（欠損部７）近傍が跳ね上がることはない。
【００２５】
また、四本の側支柱３間に棚板５を設置する棚構造の什器１にあって、一単位であるこの什器１の複数を並列に配置する場合、正方形或いは長方形の棚板５´の一辺の両隅部は、前記と同様に欠損部７が形成され、他の一辺の両隅部は、前記と同様に直角部１１となっており、夫々係止穴８或いは係止切り欠き１２が開口形成される（図８参照）。但し、四隅とも係止切り欠き１２であっても良い。
【００２６】
ここでは、一対のダボピン１７の一方が或る什器１の棚板５に、他方のダボピン１７が隣りの什器１の同一高さ位置の棚板５に夫々係止させることができる。即ち、隣り合う什器１の夫々の棚板５の保持を一本の支柱３及び一個のブラケット１４で兼用させることができるだけでなく、支柱３に縦に開設する多数の係止透孔４は一列で済むのである。隣り合う什器１の夫々の棚板５が段違いの場合は一個のブラケット１４で兼用させることができないが、支柱３は兼用させることができ、しかも係止透孔４は一列で良い。
【実施例１】
【００２７】
棚板５は、木材、金属、合成樹脂等で成形されるが、ガラス板、透明樹脂パネルを採用する場合には、図に示したような枠体１８を用いる。即ち、前記した棚板５と同様に丸み部６と欠損部７及び直角部１１を形成したガラス板５ａを下方から支持する枠体１８にあって、ガラス板５ａの欠損部７に対応する箇所には先端が開放された略コ字形状の係止穴８が形成され、直角部１１に対応する箇所には下端が開放された係止切り欠き１２が開口形成される。
従ってブラケット１４のダボピン１７は、この枠体１８の係止穴８或いは係止切り欠き１２に嵌入係止して、ガラス板５ａを間接的に保持することになる。
【図面の簡単な説明】
【００２８】
【図１】コーナー用什器の一単位を示す斜視図である。
【図２】コーナー用什器の一単位を示す、奥方向から見た分解斜視図である。
【図３】コーナー用什器の一単位を示す、前方向から見た分解斜視図である。
【図４】棚板を奥下方向から見た斜視図である。
【図５】コーナー部分の組み付け前の斜視図である。
【図６】コーナー用什器の一単位を示す平面断面図である。
【図７】コーナー用什器の一単位を示す、不規則断面図である。
【図８】コーナー用什器の複数組を示す、平面断面図である。
【図９】ブラケットの拡大斜視図である。
【図１０】ガラス板による棚板の分解斜視図である。
【符号の説明】
【００２９】
１    什器
２    奥支柱
３    側支柱
４    係止透孔
５    棚板
５ａ  ガラス板
６    丸み部
７    欠損部
８    係止穴
９    庇片
１０  底片
１１  直角部
１２  係止切り欠き
１３  隅片
１４  ブラケット
１５  プレート
１６  係止片
１７  ダボピン
１８  枠体
【図１】
2010148628.tif 000003
【図２】
2010148628.tif 000004
【図３】
2010148628.tif 000005
【図４】
2010148628.tif 000006
【図５】
2010148628.tif 000007
【図６】
2010148628.tif 000008
【図７】
2010148628.tif 000009
【図８】
2010148628.tif 000010
【図９】
2010148628.tif 000011
【図１０】
2010148628.tif 000012